(57)【要約】 【課題】ランプに安定的な電源電圧を供給するためのランプホルダー、これを有するランプアセンブリ、バックライトアセンブリ及び表示装置を提供する。【解決手段】ランプホルダーは、第１ホルダー、第２ホルダー及び連結部を含む。第２ホルダーは第１ホルダーと結合されランプの端部をカバーする。連結部は第１及び第２ホルダーを連結する。このように、連結部によってランプホルダーがより容易に組立てられる。また、ランプホルダーでランプを保護することによって、ランプに安定的に電源電圧を供給することができる。【選択図】    図３
2006156327.tif 000002
【特許請求の範囲】
【請求項１】
第１ホルダーと、
前記第１ホルダーと結合されランプの端部をカバーする第２ホルダーと、
前記第１及び第２ホルダーを連結する連結部と、
を含むことを特徴とするランプホルダー。
【請求項２】
前記第１ホルダーは、前記ランプの端部を収納する第１メインホルダー部と、前記ランプに電源電圧を供給する電源線を固定する第１サブホルダー部と、を含み、
前記第２ホルダーは、前記ランプの端部を収納する第２メインホルダーと、前記ランプに電源電圧を供給する電源線を固定する第２サブホルダー部と、を含むことを特徴とする請求項１記載のランプホルダー。  
【請求項３】
前記連結部は、前記第１及び第２ホルダーが外部の力によって互いに向き合うように屈曲が可能な材質からなることを特徴とする請求項１記載のランプホルダー。
【請求項４】
前記第１ホルダーには結合突起が形成され、前記第２ホルダーには前記結合突起と結合される結合溝が形成されることを特徴とする請求項１記載のランプホルダー。
【請求項５】
前記第１及び第２ホルダーのうち、少なくとも一つには、互いに結合された前記第１及び第２ホルダーを分離させるための溝が形成されることを特徴とする請求項１記載のランプホルダー。
【請求項６】
前記第１及び第２ホルダーは、合成樹脂からなることを特徴とする請求項１記載のランプホルダー。  
【請求項７】
前記合成樹脂は、絶縁性及び耐熱性が優れたポリカーボネートであることを特徴とする請求項６記載のランプホルダー。
【請求項８】
ランプ本体、及び前記ランプ本体の端部に配置された電極を含むランプと、
前記電極と電気的に連結され前記電極に電源電圧を供給する電源線と、
前記第１ホルダーと、前記第１ホルダーと結合され前記ランプの端部及び前記電源線の一部をカバーする第２ホルダーと、前記第１及び第２ホルダーを連結する連結部とを具備するランプホルダーと、
を含むことを特徴とするランプアセンブリ。
【請求項９】
ランプと、前記ランプの電極と電気的に連結され前記電極に電源電圧を供給する電源線と、連結部を通じて２つのホルダーを結合させ前記ランプの端部及び前記電源線をカバーするランプホルダーとを具備するランプアセンブリと、
底面及び側壁を有し、前記ランプアセンブリを収納する収納容器と、
を含むことを特徴とするバックライトアセンブリ。
【請求項１０】
前記ランプホルダーは、第１ホルダーと、前記第２ホルダーと結合され前記ランプの端部をカバーする第２ホルダーと、を含み、
前記連結部は前記第１及び第２ホルダーを連結することを特徴とする請求項９記載のバックライトアセンブリ。
【請求項１１】
ランプと、前記ランプの電極と電気的に連結され前記電極に電源電圧を供給する電源線と、連結部を通じて２つのホルダーを結合させ前記ランプの端部及び前記電源線をカバーするランプホルダーとを具備するバックライトアセンブリと、
前記バックライトアセンブリの上部に配置され、前記ランプから発生した光を用いて画像を表示する表示パネルと、
を含むことを特徴とする表示装置。
【請求項１２】
前記ランプホルダーは、第１ホルダーと、前記第２ホルダーと結合され前記ランプの端部をカバーする第２ホルダーと、を含み、
前記連結部は前記第１及び第２ホルダーを連結することを特徴とする請求項１１記載の表示装置。
【発明の詳細な説明】
【技術分野】
【０００１】
本発明はランプホルダーと、これを有するランプアセンブリ、バックライトアセンブリ及び表示装置に関し、より詳細には、ランプに安定的な電源を供給するためのランプホルダーと、これを有するランプアセンブリ、バックライトアセンブリ及び表示装置に関する。
【背景技術】
【０００２】
一般に、移動通信端末機、デジタルカメラ、ノートブック型ＰＣ、モニターなどの多様な電子機器は画像を表示するための表示装置を含む。表示装置には多様な種類が使用されることができるが、電子機器の特性上、平板形状を有する平板表示装置が主に使用される。
代表的な平板表示装置である液晶表示装置は、液晶の電気的及び光学的特性を用いて画像を表示する。液晶表示装置は他の表示装置に比べて厚さが薄くて重さが軽く、低消費電力及び低駆動電圧で作動するという長所があって、産業全般に亘り幅広く使用されている。
従来の液晶表示装置は、液晶の光透過率を利用して画像を表示する表示パネル及び表示パネルに光を供給するバックライトアセンブリを主な構成要素とする。
液晶表示装置で採用されたバックライトアセンブリは、光を発生させるランプ及びランプから光を発生させるために電源電圧をランプに供給する電源線を含む。一般に、電源線はランプの電極とはんだ付け（ソルダリング；ｓｏｌｄｅｒｉｎｇ）され、外部から印加された電源電圧をランプに伝送する。  
【発明の開示】
【発明が解決しようとする課題】
【０００３】
しかし、ランプの電極とはんだ付け（ソルダリング）によって電気的に連結された電源線は、はんだ付けされた部位で外部の力によって断線され易いという問題点を有し、また、ランプの電極または外部からの衝撃によって破損され易いという問題点を有する。
本発明の技術的な課題は、このような従来の問題点を解決するためのもので、本発明の第１目的は電極及び電極と連結された電源線を保護することでランプに安定的な電源電圧を供給するランプホルダーを提供することにある。
本発明の第２目的は、前記ランプホルダーを有するランプアセンブリを提供することにある。
本発明の第３目的は前記ランプホルダーを有するバックライトアセンブリを提供することにある。
本発明の第４目的は、前記ランプホルダーを有する表示装置を提供することにある。  
【課題を解決するための手段】
【０００４】
前記本発明の第１目的を達成するために、本発明によるランプホルダーは、第１ホルダー、第２ホルダー及び連結部を含む。前記第２ホルダーは、前記第１ホルダーと結合されランプの端部をカバーする。前記連結部は、前記第１及び第２ホルダーを連結する。望ましくは、前記連結部は、前記第１及び第２ホルダーが、外部の力によって互いに向き合うように屈曲が可能な材質からなる。
上述した本発明の第２目的を達成するために、本発明によるランプアセンブリは、ランプ、電源線及びランプホルダーを含む。前記ランプは、ランプ本体及び前記ランプ本体の端部に配置された電極を含む。前記電源線は、前記電極と電気的に連結され、前記電極に電源電圧を供給する。前記ランプホルダーは、第１ホルダー、前記第１ホルダーと結合され前記ランプの端部及び前記電源線の一部をカバーする第２ホルダー、及び前記第１及び第２ホルダーを連結する連結部を含む。
【０００５】
上述した本発明の第３目的を達成するために、本発明によるバックライトアセンブリは、ランプアセンブリ及び収納容器を含む。前記ランプアセンブリは、ランプ、前記ランプの電極と電気的に連結され前記電極に電源電圧を供給する電源線、及び連結部を通じて２つのホルダーを結合させ前記ランプの端部及び前記電源線をカバーするランプホルダーを含む。前記収納容器は底面及び側壁を含み、前記ランプアセンブリを収納する。
上述した本発明の第４目的を達成するために、本発明による表示装置は、バックライトアセンブリ及び表示パネルを含む。バックライトアセンブリは、ランプ、前記ランプの電極と電気的に連結され前記電極に電源電圧を供給する電源線、及び連結部を通じて２つのホルダーを結合させ前記ランプの端部及び前記電源線をカバーするランプホルダーを含む。前記表示パネルは前記バックライトアセンブリの上部に配置され、前記ランプから発生される光を用いて画像を表示する。
このようなランプホルダー、これを有するランプアセンブリ、バックライトアセンブリ又は表示装置によると、連結部によってランプホルダーがより容易に組立てられてランプを保護することにより、ランプの破損及び電源線の断線を防止することができ、その結果ランプに安定的に電源電圧を供給して画像の表示品質を向上させることができる。
【発明を実施するための最良の形態】
【０００６】
以下、図面を参照して本発明の望ましい一実施形態をより詳細に説明する。
（ランプホルダーの実施形態１）
図１は本発明の一実施形態によるランプホルダーを示す分解斜視図である。
図１に示すように、一実施形態によるランプホルダーは第１ホルダー１００、第２ホルダー２００及び連結部３００を含む。ランプホルダーは、第１及び第２ホルダー１００、２００が互いに結合されることで、ランプ５００に電源電圧を印加する部分を外部の影響から保護する。
第１ホルダー１００は第１メインホルダー部１１０及び第１サブホルダー部１２０を含み、第２ホルダー２００は第２メインホルダー部２１０及び第２サブホルダー部２２０を含む。例えば、第１メインホルダー部１１０と第１サブホルダー部１２０及び第２メインホルダー部２１０と第１サブホルダー部２２０は、それぞれ‘Ｌ’字形状に結合されている。
【０００７】
本実施形態において、第１及び第２メインホルダー部１１０、２１０は、例えば円筒形状を有するランプ５００の端部を取り囲むように互いに結合され、ランプ５００の端部を外部の衝撃から保護する。第１及び第２サブホルダー部１２０、２２０はランプ５００に電源電圧を供給する電源線５５０を取り囲むように互いに結合され、電源線５５０を固定して、電源線５５０が自由に動いてしまうのを防止する。
第１及び第２ホルダー１００、２００を相互に凹凸結合するために、第１ホルダー１００には結合突起１１２が形成され、第２ホルダー２００には結合溝２１２が形成される。望ましくは、結合突起１１２は第１ホルダー１００の第１メインホルダー部１１０に形成され、結合溝２１２は第２ホルダー２００の第２メインホルダー部２１０に、第１及び第２メインホルダー１１０、２１０を互いに結合させるときに結合突起１１２と向き合って嵌り合うように形成される。
第１及び第２ホルダー１００、２００は合成樹脂からなり、より具体的には、強度、絶縁性及び耐熱性が優れたポリカーボネートから形成することができる。
【０００８】
連結部３００は第１ホルダー１００及び第２ホルダー２００を連結させる。望ましくは、連結部３００は第１メインホルダー１１０及び第２メインホルダー部２１０の向き合う位置に形成され、第１ホルダー１００及び第２ホルダー２００を連結させる。
連結部３００は、例えば、第１ホルダー１００及び第２ホルダー２００の間に設けられ、連結部３００を中心として第１ホルダー１００及び第２ホルダー２００を回転させて向かい合わせることにより、第１ホルダー１００と第２ホルダー２００とを互いに結合させることができる。連結部３００は、第１及び第２ホルダー１００、２００が外部の力によって互いに向き合わせることができるように、屈曲可能な材質からなり、厚さが比較的薄いことが望ましい。例えば、連結部３００は延性（ｄｕｃｔｉｌｉｔｙ）を有する合成樹脂からなることが望ましい。
このように、第１ホルダー１００及び第２ホルダー２００は、延性（ｄｕｃｔｉｌｉｔｙ）を有する連結部３００を設けることによってより容易に結合されるので、ランプホルダーの組立性を向上させることができる。
【０００９】
（ランプホルダーの実施形態２）
図２は本発明の他の実施形態によるランプホルダーを示す分解斜視図である。この実施形態によるランプホルダーの構成要素のうち、前述した一実施形態によるランプホルダーと同一の構成についてはその重複する詳細な説明は省略し、同一の構成要素については同一の参照符号及び名称を使用する。
図２に示すように、本実施形態によるランプホルダーは、第１ホルダー１００、第２ホルダー２００及び連結部３００を含む。
第１ホルダー１００は第１メインホルダー部１１０及び第１サブホルダー部１２０を含み、第２ホルダー２００は第２メインホルダー部２１０及び第２サブホルダー部２２０を含む。例えば、第１メインホルダー部１１０と第１サブホルダー部１２０、及び第２メインホルダー部２１０と第２サブホルダー部２２０は、それぞれ、‘Ｌ’字形状に結合されている。
【００１０】
第１及び第２メインホルダー部１１０、２１０は、例えば円筒形状を有するランプ５００の端部を取り囲むように互いに結合され、ランプ５００の端部を外部の衝撃から保護する。第１及び第２サブホルダー部１２０、２２０はランプに電源を供給する電源線５５０の一部を取り囲むように互いに結合され、電源線５５０を固定して、電源線５５０が自由に動いてしまうのを防止する。
本実施例において、第１及び第２ホルダー１００、２００を相互に凹凸結合するために、第１ホルダー１００には結合突起１１２が形成され、第２ホルダー２００には結合溝２１２が形成される。  
【００１１】
第１及び第２ホルダー１００、２００のうち少なくとも一つには、互いに結合された第１及び第２ホルダーを分離させるための溝が形成される。例えば、第１及び第２ホルダー１００、２００それぞれには、結合されている第１及び第２ホルダー１００、２００をより容易に分解するための第１溝１１４及び第２溝２１４が形成される。第１溝及び第２溝１１４、２１４は、第１及び第２メインホルダー１１０、２１０を互いに結合させるときに互いに向き合う位置に配置されるように形成される。このとき、結合されたホルダーはマイナスドライバーを第１及び第２溝１１４、２１４により形成される溝部に差し込むことにより、より容易に分解することができる。
このように構成することにより、第１ホルダー１００及び第２ホルダー２００が互いに結合されたとき、第１及び第２溝１１４、２１４によって容易に分解することができ、ランプホルダーの再作業性の向上を図ることができる。
【００１２】
（ランプアセンブリの実施形態）
図３は本発明の一実施形態によるランプアセンブリを示す分解斜視図である。
図３に示すように、一実施形態によるランプアセンブリはランプ５００、電源線５５０及びランプホルダーを含む。
ランプ５００はランプ本体５１０及びランプ本体５１０の内部で光を発生させるために放電を起こす電源電圧が印加される電極５２０を含む。
ランプ本体５１０は、例えば、内部に放電空間が形成された円筒形状を有し、光の透過率が優れた透明な材質、例えば、ガラスから構成される。ランプ本体５１０の内部空間には放電ガス(図示せず)、例えば、水銀、微量のアルゴン、ネオン、クセノン及びクリプトンなどが注入される。
【００１３】
水銀Ｈｇはランプ本体５１０の内部で発生した放電によって不可視光線である紫外線を発生させる。アルゴン、ネオン、クセノン及びクリプトンは放電によってイオン化され２次電子を発生させ紫外線発生量を増加させ、ペニング効果によって放電を起こすのに必要な放電電圧の電圧レベルを減少させ消費電力を減少させる。
ランプ本体５１０の内壁には蛍光層(図示せず)が形成される。蛍光層は水銀から発生された非可視光線を可視光線に変化させる。
電極５２０は、例えば、ランプ本体５１０に配置された電極本体及び電極本体に外部から印加された電源を伝送するリード線を含む。
【００１４】
ランプ本体５１０の両端部、例えば、ランプ本体５１０の両端部の内部に向き合うように一対の電極本体が配置される。これとは異なり、ランプ本体５１０の両端部の外部に一対の電極本体を相互対向するように配置することができる。本実施形態による電極本体は、外部から印加された電源電圧によって、ランプ本体５１０の内部で放電を発生させる。
リード線は電極本体と電気的に連結され、電源と電極本体とを電気的に接続し、電源電圧を電極本体に伝送する。本実施形態によるリード線は、例えば、棒形状を有する。
本実施形態によるランプアセンブリにおいて、ランプ５００は、ランプ本体５１０に配置されランプ本体５１０内の放電ガスを密封する密封ガラスをさらに含むことができる。前記密封ガラスにはリード線が貫通するための貫通孔が形成される。
【００１５】
電源線５５０は、電極５２０と電気的に連結され、外部の電源により供給される電源電圧を電極５２０に伝送する。例えば、電源線５５０は電極５２０のリード線とソルダリング５６０によって電気的に連結される。
ランプホルダーは第１ホルダー１００、第２ホルダー２００及び連結部３００を含む。ランプホルダーは第１及び第２ホルダー１００、２００が互いに結合されることで、ランプ５００及び電源線５５０を外部の影響から保護する。
第１ホルダー１００は第１メインホルダー部１１０及び第１サブホルダー部１２０を含み、第２ホルダー２００は第２メインホルダー部２１０及び第２サブホルダー部２２０を含む。
第１及び第２メインホルダー部１１０、１２０は円筒形状を有するランプ本体５１０の端部を取り囲むように互いに結合され，ランプ本体５１０の端部を外部の衝撃から保護する。第１及び第２サブホルダー部２１０、２２０は電源線５５０の一部を取り囲むように互いに結合され、電源線５５０を固定して、電源線５５０が自由に動いてしまうのを防止する。
【００１６】
本実施形態によるランプアセンブリにおいて、第１及び第２ホルダー１００、２００を相互に凹凸結合するために、第１ホルダー１００には結合突起１１２が形成され、第２ホルダー２００には結合溝２１２が形成される。
第１及び第２ホルダー１００、２００は合成樹脂からなり、より具体的には、強度、絶縁性及び耐熱性に優れたポリカーボネートから形成することができる。
第１及び第２ホルダー１００、２００それぞれには、互いに結合されている第１及び第２ホルダー１００、２００をより容易に分解するための第１溝１１４及び第２溝２１４をさらに形成することができる。これとは異なり、結合されたランプホルダーを分解するための溝は第１ホルダー１００及び第２ホルダー２００のうちいずれか一つのみに形成することができる。
【００１７】
連結部３００は第１ホルダー１００及び第２ホルダー２００を連結させる。望ましくは、連結部３００は第１メインホルダー１１０及び第２メインホルダー２１０の向き合う位置に形成され、第１ホルダー１００及び第２ホルダー２００を連結させる。
連結部３００は、例えば、第１ホルダー１００及び第２ホルダー２００の間に設けられ、連結部３００を中心として第１ホルダー１００及び第２ホルダー２００を回転させて向かい合わせることにより、第１ホルダー１００と第２ホルダー２００とを互いに結合させることができる。連結部３００は、第１及び第２ホルダー１００、２００が外部の力によって互いに向き合わせることができるように、屈曲可能な材質からなり、薄い厚さを有することが望ましい。例えば、連結部３００は延性（ｄｕｃｔｉｌｉｔｙ）を有する合成樹脂からなることが望ましい。
このように、延性（ｄｕｃｔｉｌｉｔｙ）を有する連結部３００を設けることによって、連結部を中心として、第１ホルダー１００及び第２ホルダー２００を回転させて、第１ホルダー１００及び第２ホルダー２００をより容易に結合できるので、ランプホルダーの組立性を向上させることができる。  
また、ランプホルダーがランプ５００の端部及び電源線５５０の一部を収納することで、ランプ５００の破損及び電源線５５０の断線を防止しランプ５００から安定的に光を発生させることができる。
【００１８】
（バックライトアセンブリの実施形態）
図４は本発明の一実施形態によるバックライトアセンブリを示す斜視図である。本実施形態によるバックライトアセンブリのランプアセンブリの構成のうち前述したランプアセンブリと同一の構成については、その重複する詳細な説明は省略し、同一の構成要素については同一の参照符号及び名称を使用することにする。
図４に示すように、本実施形態によるバックライトアセンブリは、光を発生させるランプアセンブリ６００及び前記ランプアセンブリ６００を収納する収納容器７００を含む。
ランプアセンブリ６００は、ランプ５００、電源線５５０及びランプホルダーを含む。前記ランプアセンブリ６００は、ランプ本体５１０の一部を取り囲みランプ本体５１０から発生した光を一方の方向に集光させるランプカバー６５０をさらに含むことができる。
収納容器７００は底面７１０及び底面７１０から延長または配置された側壁７２０を含む。底面７１０及び側壁７２０によって収納容器７００には収納空間が形成され、前記収納空間にはランプアセンブリが配置される。
本実施形態によるバックライトアセンブリ８００は、ランプ５００から発生された光をガイドして収納容器７００の底面７１０に対して上部に光の経路を変更させる導光板７５０をさらに含むことができる。
【００１９】
（表示装置の実施形態）  
図５は本発明の一実施形態による表示装置を示す分解斜視図である。本実施形態による表示装置のバックライトアセンブリは、前述したバックライトアセンブリと同一の構成を有するのでその重複する詳細な説明は省略し、同一の構成要素については同一の参照符号及び名称を使用することにする。
図５に示すように、本実施形態による表示装置は、光を発生するバックライトアセンブリ８００及び画像を表示する表示パネル９００を含む。
表示パネル９００は、例えば、第１基板９１０、第２基板９２０、液晶層９３０、印刷回路基板９４０及び可撓性回路基板９５０を含む。
【００２０】
第１基板９１０は、複数個がマトリックス状に配置された画素電極、各画素電極に駆動電圧を印加する薄膜トランジスタＴＦＴ、及び薄膜トランジスタＴＦＴをそれぞれ作動させるための信号線を含む。
画素電極は、透明で導電性を有するインジウム錫酸化物（ＩＴＯ）、インジウム亜鉛酸化物（ＩＺＯ）及びアモルファスインジウムすず酸化物（ａ-ＩＴＯ）などをフォトリソグラフィ工程によってパターニングすることにより形成される。
第２基板９２０は第１基板９１０と向き合うように配置される。第２基板９２０は、第２基板９２０の全面に配置され透明で導電性である共通電極、及び画素電極と向き合う所に配置されたカラーフィルターを含む。
【００２１】
カラーフィルターは、白色光のうち赤色光を選択的に通過させる赤色カラーフィルター、白色光のうち緑色光を選択的に通過させる緑色カラーフィルター、及び白色光のうち青色光を選択的に通過させる青色カラーフィルターを含む。
液晶層９３０は、第１基板９１０と第２基板９２０との間に介在し、画素電極と共通電極との間に形成された電場によって再配列される。再配列された液晶層９３０の液晶は、バックライトアセンブリ８００のランプ５００から発生した光の光透過率を調節し、光透過率が調節された光がカラーフィルターを通過することによって画像が表示される。
印刷回路基板９４０は画像信号を処理する駆動回路ユニットを含む。駆動回路ユニットは、外部から入力された画像信号を、薄膜トランジスタＴＦＴを制御する駆動信号に変える。
可撓性回路基板９５０は印刷回路基板９４０と第１基板９１０とを電気的に連結し、印刷回路基板９４０により生成された駆動信号を第１基板９１０に提供する。
本実施形態による表示装置は光学シート類８５０及びトップシャーシ９９０をさらに含むことができる。
【００２２】
光学シート類８５０はバックライトアセンブリ８００と表示パネル９００との間に配置されランプアセンブリから出力された光の光学特性を向上させる。光学シート類８５０は、例えば、光を拡散させる拡散シート８５２及び反射と屈折を通じて光の垂直輝度を向上させる少なくとも一つのプリズムシート８５４を含む。
トップシャーシ９９０は、表示パネル９００の端部を取り囲み、収納容器７００の側壁７２０と結合され表示パネル９００をバックライトアセンブリ８００の上部に固定する。
トップシャーシ９９０は、外部から加えられた衝撃及び振動に弱い表示パネル９００の破損または損傷を防止し、表示パネル９００が収納容器７００から外れてしまうことを防止する。
【００２３】
以上、詳細に説明したように、第１ホルダー及び第２ホルダーを、延性（ｄｕｃｔｉｌｉｔｙ）を有する連結部を中心として回転させて、第１ホルダー及び第２ホルダーをより容易に結合できるので、ランプホルダーの組立性を向上させ、表示装置の生産性を向上させることができる。
また、ランプホルダーがランプの端部及び電源線の一部を収納することによって、外部の衝撃によるランプの破損及び電源線の断線を防止して、ランプから安定的な光を発生させることができ、その結果、画像の表示品質を向上させることができる。
以上、本発明の実施形態によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００２４】
【図１】本発明の第１実施形態によるランプホルダーを示す分解斜視図である。
【図２】本発明の第２実施形態によるランプホルダーを示す分解斜視図である。
【図３】本発明の一実施形態によるランプアセンブリを示す分解斜視図である。
【図４】本発明の一実施形態によるバックライトアセンブリを示す結合斜視図である。
【図５】本発明の一実施形態による表示装置を示す分解斜視図である。
【符号の説明】
【００２５】
１００      第１ホルダー
１１２      結合突起
１１４      第１溝
２００      第２ホルダー
２１２      結合溝
２４２      第２溝
３００      連結部
４００      ランプホルダー
５００      ランプ
５５０      電源線
６００      ランプアセンブリ
７００      収納容器
８００      バックライトアセンブリ
８５０      光学シート類
９００      表示パネル
９９０      トップシャーシ
【図１】
2006156327.tif 000003
【図２】
2006156327.tif 000004
【図３】
2006156327.tif 000005
【図４】
2006156327.tif 000006
【図５】
2006156327.tif 000007